(57)【要約】      （修正有）【課題】記憶メディア上に記録されている複数種類の映像を、記憶メディア上に置かれた映像再生プログラムにより瞬時に任意の映像を呼び出し再生出力する映像再生装置を提供する。【解決手段】筐体に複数の接点スイッチ８、センサーまたは外部入力７を設置または接続し、その動作に応じて、記憶メディア上に置かれた映像再生プログラムにより、接続された表示装置等に再生情報に基づいた任意の映像情報を呼び出し、瞬時に再生出力を行うようにして映像再生装置を構成する。さらに、接点スイッチ８、センサーまたは外部入力７の動作が行われない場合にも、記憶メディア上に置かれた映像再生プログラムにより、接続された表示装置等に再生情報に基づいた任意の映像情報を呼び出し、瞬時に再生出力を行うことにしても良い。【選択図】図１
0003154788.tif 000002
【実用新案登録請求の範囲】
【請求項１】
複数の接点スイッチの操作やセンサーの動作により
記憶メディア上に記録されている複数の映像情報を
瞬時に任意の映像を呼び出し再生出力することを特徴とする映像再生装置
【請求項２】
記憶メディア上に置かれた映像再生プログラムにより
記憶メディアに記録されている複数の映像情報を
瞬時に任意の映像を呼び出し再生出力することを特徴とする映像再生装置
【請求項３】
記憶メディア上に置かれた映像再生プログラムと外部入力の組合せにより
それぞれ外部入力毎に異なった映像を再生出力することを
特徴とする映像再生装置
【請求項４】
記憶メディア上に置かれた映像再生プログラムと外部入力により
外部信号を受信するたび映像が切り替わることを
特徴とする映像再生装置
【考案の詳細な説明】
【技術分野】
【０００１】本考案は、記憶メディア上に記録されている複数の映像情報を複数の接点スイッチの操作またはセンサーの動作もしくは外部入力により瞬時に任意の映像を呼び出し再生出力することを特徴とする映像再生装置
任意の映像を順番で呼び出し、自由に再生出力する事を可能とするものである
【背景技術】
【０００２】近年、様々なタイプの映像再生装置が商品化されているが映像の切替を行うためには、リモコンや操作パネルを使用し複数の煩雑な手順操作が必要であり任意の映像を瞬時に呼び出し再生することや異なった映像を瞬時に切り替えることが出来ない
【考案の開示】
【考案が解決しようとする課題】
【０００３】記憶メディア上に記録されている複数種類の映像のうち任意の映像を呼び出し再生出力するためには複数の煩雑な手順操作をしなければならない
この煩雑な操作を解消し、予め決められた映像を瞬時に呼び出し再生出力する
【課題を解決するための手段】
【０００４】この目的を達成するために本考案の映像再生装置は筐体に複数の接点スイッチ、センサーまたは外部入力を設置または接続し、その動作により、記憶メディア上に置かれた映像再生プログラムにより再生情報に基づいた再生出力を行う
【考案の効果】
【０００５】本考案は［０００４］に記した構成により、映像再生装置としての機能を損なうことなく、指定した任意の映像を簡便な操作のみで瞬時に呼び出し再生を可能にする
瞬時に呼び出し再生出力することにより再生されている映像情報は対話型の操作を可能とする
【考案を実施するための最良の形態】
【０００６】以下本考案の一実施例について説明する
図１において、１は本考案の一実施例における筐体部を示す
２は映像情報および再生プログラムを記録した記憶メディア入力部を示す
３は映像情報出力部であり、映像用コネクタなどが接続される
２に入力された映像情報は４の映像再生部に入力され再生情報は５の制御部に入力される
６の操作部で８の接点スイッチによる操作情報は５の制御部に送られる
７のセンサー入力部へ入力された情報も同様に５へ入力される
９の外部入力からの情報は５の制御部に送られる
各情報を受けた５は、映像プログラム情報と照合し再生する映像情報を４へ伝送する
４はその情報に基づき必要な映像情報を３へ再生出力する
図２において、本考案の一実施例における正面図を示す
筐体表面には２、３、６、７、８、９が設置され、各入力および出力を可能とする
【実施例】
【０００７】本考案の映像再生装置は記憶メディア上に記録されている
複数種類の映像を再生する映像再生部と接点スイッチ、センサー
外部入力を制御する制御部、任意の映像に切り替える
切替接点スイッチとの一体型筐体である
【産業上の利用可能性】
【０００８】近年、様々なタイプの映像再生装置によるプレゼンテーションが行われている
しかし、映像メディア上に記録されている複数種類の映像のうち任意の映像を呼び出すためには複数の煩雑な手順操作をしなければならない
本考案の映像再生装置は筐体表部の映像切替接点スイッチにより瞬時に任意の映像を呼び出し再生出力することを特徴とするためカテゴリー別映像選択、個別映像選択などが容易となり目的とする映像情報の再生出力が簡便となる
本考案の映像再生装置は、映像による複数種類の情報を詳細かつ柔軟多彩に任意の映像を呼び出せるためフラットパネル型表示装置などと接続し複数種類のプレゼンテーションへの利便性が高まり波及効果がある
【図面の簡単な説明】
【０００９】
【図１】  本考案の構成図
【図２】  本考案の一実施例を示す正面図
【符号の説明】
【００１０】  １  映像再生装置
２  記憶メディア入力部
３  映像情報出力部
４  映像再生部
５  制御部
６  操作部
７  センサー入力部
８  接点スイッチ
９  外部入力
【図１】
0003154788.tif 000003
【図２】
0003154788.tif 000004
【手続補正書】
【提出日】平成21年2月4日(2009.2.4)
【手続補正１】
【補正対象書類名】実用新案登録請求の範囲
【補正対象項目名】全文
【補正方法】変更
【補正の内容】
【実用新案登録請求の範囲】
【請求項１】
筐体に複数の接点スイッチ、センサーまたは外部入力を設置または接続し、その動作に応じて、記憶メディア上に置かれた映像再生プログラムにより、接続された表示装置等に再生情報に基づいた任意の映像情報を呼び出し、瞬時に再生出力を行うことを特徴とする映像再生装置
【請求項２】
請求項１に於いて、接点スイッチ、センサーまたは外部入力の動作が行われない場合にも、記憶メディア上に置かれた映像再生プログラムにより、接続された表示装置等に再生情報に基づいた任意の映像情報を呼び出し、瞬時に再生出力を行うことを特徴とする映像再生装置
【請求項３】
請求項１に於いて、外部入力からのデジタル信号に基づき、記憶メディア上に置かれた映像再生プログラムにより、接続された表示装置等に再生情報に基づいた任意の映像情報を呼び出し、瞬時に再生出力を行うことを特徴とする映像再生装置
【請求項４】
接点スイッチ、センサーを外部入力に接続することを特徴とする請求項１に記載する映像再生装置
【手続補正書】
【提出日】平成21年7月24日(2009.7.24)
【手続補正１】
【補正対象書類名】実用新案登録請求の範囲
【補正対象項目名】全文
【補正方法】変更
【補正の内容】
【実用新案登録請求の範囲】
【請求項１】
筐体に複数の接点スイッチ、センサーまたは外部入力を設置または接続し、その動作に応じて、記憶メディア上に置かれた映像再生プログラムにより、接続された表示装置等に再生情報に基づいた任意の映像情報を呼び出し、瞬時に再生出力を行うことを特徴とする映像再生装置
【請求項２】
接点スイッチ、センサーまたは外部入力の動作が行われない場合にも、記憶メディア上に置かれた映像再生プログラムにより、接続された表示装置等に、再生情報に基づいた任意の映像情報を呼び出し、瞬時に再生出力を行うことを特徴とする請求項１に記載の映像再生装置
【請求項３】
外部入力からのデジタル信号に基づき、記憶メディア上に置かれた映像再生プログラムにより、接続された表示装置等に、再生情報に基づいた任意の映像情報を呼び出し、瞬時に再生出力を行うことを特徴とする請求項１に記載の映像再生装置
【請求項４】
接点スイッチ、センサーを外部入力に接続することを特徴とする請求項１に記載の映像再生装置